(57)【要約】  接着テープ（２）を切断するための切断刃（４）を備えた基台（１１０）と、基台に対して変位可能に取り付けられたホルダ部材（１２０）と、リール部（３０）と、によってテープディスペンサー（１０１）を構成し、ホルダ部材（１２０）と基台（１１０）との夫々に、引き出されたテープ（２）を仮留めするための仮留部（４１、４２）を設けた。テープを切断することで、離反状態の仮留部が近接され、仮留めされていたテープ部位（３’）が撓み、内側の接着面が相互に接触されて摘み部（３）が形成される。
2015025964.tif 000002
【特許請求の範囲】
【請求項１】
接着テープ（２）を切断するための切断刃（４）を備えた基台（１０，１０’，１１０）と、  該基台（１０，１０’，１１０）に対して変位可能に取り付けられたホルダ部材（２０，２０’，１２０）と、  該ホルダ部材（２０，２０’，１２０）に枢止されたリール部材（３０）と、を含んで構成されたテープディスペンサー（１，１’，１”，１０１）であって、  前記ホルダ部材（２０，２０’，１２０）と前記基台（１０，２０’，１１０）との夫々に、前記切断刃（４）に向けて引き出されたテープ（２）を仮留めするための仮留部（４１、４２）を設け、  前記ホルダ部材（２０，２０’，１２０）を前記切断刃（４）に近接させてテープ（２）を切断し、該ホルダ部材（２０，２０’，１２０）が離反された際に、夫々の仮留部（４１、４２）が相互に略密接するように構成したことを特徴とするテープディスペンサー。
【請求項２】
前記ホルダ部材（２０，１２０）のテープ引き出し方向前端に設けられた取付部（２１，１２１）の上端に、引き出されたテープ（２）を仮留めするための第１の仮留部（４１）を設けると共に、  上端に第２の仮留部（４２）を有する揺動部材（４３）を前記基台（１０）に枢支させ、該揺動部材（４３）と前記取付部（２１，１２１）とをリンクバー（４４）によって回動可能に連結したことを特徴とする請求項１に記載のテープディスペンサー。
【請求項３】
前記ホルダ部材（１２０）は、前記基台（１１０）に対して回動可能に取り付けられた回動部材（１２０）であることを特徴とする請求項２に記載のテープディスペンサー。
【請求項４】
前記ホルダ部材（２０）は、弾性部材（１５）によって前記切断刃（４０）から離反する方向に付勢されると共に前記基台（１０）に対してスライド可能に取り付けられたスライド部材（２０）であることを特徴とする請求項２に記載のテープディスペンサー。
【請求項５】
前記ホルダ部材（２０’）は、弾性部材（１５’）によって前記切断刃（４）から離反する方向に付勢されると共に前記基台（１０’）に対してスライド可能に取り付けられたスライド部材（２０’）であり、  前記切断刃（４）に向けて引き出された接着テープ（２）を仮留めするための第１の仮留部（４１’）を前記基台（１０’）に設けられた第１の取付部（１６）に設けると共に、  上端に第２の仮留部（４２’）を形成した第２の取付部（２１’）を前記スライド部材（２０’）に設けたことを特徴とする請求項１に記載のテープディスペンサー。
【請求項６】
前記切断刃（４）に向けてテープ（２）を引き出した際に、該切断刃（４’）の刃先（４ａ）と前記第２の仮留部（４２）の間に所定の間隔が設けられるように構成したことを特徴とする請求項２〜請求項４に記載のテープディスペンサー。
【請求項７】
前記刃先（４ａ）は、平面状の切断刃（４’）の一端のエッジ部に、複数の陥没部（４ｃ）を所定間隔ごとに設けることで、該陥没部（４ｃ）とエッジ部とが成す角部（４ｄ）においてテープ（２）を切り込んでエッジ部で筋づけしつつ、該テープ（２）を直線状に切断するように構成されたものであることを特徴とする請求項６に記載のテープディスペンサー。  
【発明の詳細な説明】
【技術分野】
【０００１】  本発明は、接着テープを切断する際に、次の切断操作のための摘み部を形成することが可能なテープディスペンサーに関する。
【背景技術】
【０００２】  接着テープを繰り出すためのリールを基台に設け、リールから引き出されたテープを切断刃によって切断する構造のテープディスペンサーにあっては、テープが切断される際にテープの端を折り返し、次の切断操作のための摘み部が形成されるようにしたものが各種提案されている。  例えば、リールと切断刃との間に、テープを仮留めするための第１の仮留部を設け、そこに仮留めした状態で、引き出されたテープを更に仮留めするための第２の仮留部を遥動板の上端面に設けた構造のテープディスペンサーが提案されている（特許文献１）。【０００３】  リールから引き出された接着テープが、第２の仮留部で仮留めされた状態で引き出されることによって、揺動板が引き出し方向へと変位し、その前端部に設けられた切断刃にてテープが切断されることにより、スプリングや磁石の力で揺動板を元の位置に復帰させて第１の仮留部と第２の仮留部とが接触されるように設計されている。  双方の仮留部に仮留めされているテープの接着面が相互に接着されることで、次の切断操作のための摘み部が形成される。【０００４】  また、リールと切断刃との間に、上端に仮留部を有する回動板を２個設け、それらの下端を連結板によって連結した構造のテープディスペンサーも提案されている（特許文献２）。  このテープディスペンサーは、引き出された接着テープを、第１の回動板の上端部に仮留めした後、僅かな距離を引き出すことによって、第２の仮留部としての第２の回動板の上端部が、増幅されたスピードと距離で回動し、前方に設けられた切断刃によりテープが切断されるように設計されている。
【先行技術文献】
【特許文献】
【０００５】
【特許文献１】特許４９７９０３７号公報
【特許文献２】特許５１５６８９５号公報
【発明の概要】
【発明が解決しようとする課題】
【０００６】  しかしながら、特許文献１のテープディスペンサーは、揺動板の上端面に、切断刃と第２の仮留部とを形成しているので、切断された後も常に刃先にテープが接着された状態となる。このため、刃先にテープの接着材が粘着し、切断刃の性能が低下する、という不都合があった。  また、切断の前に、第１の仮留部と第２の仮留部との間に所定の間隔が設けられるようにしておく必要があるので、バネや磁石の力に抗して揺動板を変位させた状態で、テープを引き出さねばならず、操作性に問題があった。【０００７】  一方、特許文献２のテープディスペンサーは、引き出された接着テープを第１の仮留部に仮留めすると同時に、テープを更に引き出して第２の仮留部で仮留めさせなければならないので、テープを円滑に引っ張り出すことができなかった。  そこで、本発明は、切断刃の切断性能を低下させることなく、簡単かつ円滑な操作で次の切断操作のための摘み部を形成することができるテープディスペンサーを提供することを目的とする。
【課題を解決するための手段】
【０００８】  上記課題を解決するために、本発明のテープディスペンサーは、接着テープを切断するための切断刃を備えた基台と、該基台に対して変位可能に取り付けられたホルダ部材と、該ホルダ部材に枢止されたリール部材と、を含んで構成されたテープディスペンサーであって、前記ホルダ部材と前記基台との夫々に、前記切断刃に向けて引き出されたテープを仮留めするための仮留部を設け、前記ホルダ部材を前記切断刃に近接させて前記テープを切断し、前記ホルダ部材が離反された際に、夫々の仮留部が相互に略密接するように構成したことを特徴とするものである。
【発明の効果】
【０００９】  本発明に係るテープディスペンサーは、切断刃を備えた基台に対し、接着テープを保持するホルダ部材を変位可能に取り付けたので、テープを引っ張り出す操作によってホルダ部材を変位させ、テープが切断された際にホルダ部材を初期位置に復帰させることができる。そして、リール部材から繰り出されたテープを、スライド部材に設けられた仮留部と、基台に設けられた仮留部との２つの箇所で仮留めできるようにしたので、テープを引っ張ることでホルダ部材が変位された際に、その仮留部間にテープを張り渡すことができる。【００１０】  テープが切断された際には、ホルダ部材が初期位置に戻ることで離反状態の仮留部が近接するが、この際に、仮留部間に張り渡されていたテープ部位が撓み、内側の接着面が相互に接触することによって、テープが折り返される。この折り返された部位を、テープを引き出す際の摘み部とすることで、次回のテープ切断操作を円滑に行うことができる。  テープを仮留めしていたホルダ部材が、テープが切断されたときの張力の解除によって、テープを仮留めした状態で切断刃から離反するので、刃先にテープが付着し続けることがない。これにより、切断刃の性能が低下するのを防止することができる。【００１１】  このように、本発明によれば、基台に対してホルダ部材を変位可能に取り付けると共に、基台とホルダ部材の夫々に、引き出されたテープを仮留めするための仮留部を設けたので、テープを引き出して切断するという、従来のテープディスペンサーにおける切断操作と同様の動作で摘み部を作ることができる上、切断刃の性能低下を防止することもできる。
【図面の簡単な説明】
【００１２】
【図１】本発明の第１実施形態に係るテープディスペンサーを示す正面図であり、（ａ）は初期状態、（ｂ）はテープを引き出して切断する状態を示す。
【図２】上記テープディスペンサーの基台を示す正面図である。
【図３】上記テープディスペンサーの折り返し機構を示す説明図であり、（ａ）は初期状態、（ｂ）はテープを引き出して第１の仮留部に仮留めする状態、（ｃ）は第２の仮留部に仮留めして切断する状態を示す。
【図４】上記折り返し機構において摘み部が形成される状態を示す説明図であり、（ａ）はテープが切断される状態、（ｂ）は切断されたテープが折り返されて摘み部が形成される状態を示す。
【図５】上記折り返し機構の変形態様を示す説明図であり、（ａ）は初期状態、（ｂ）はテープを引き出して仮留めする状態、（ｃ）はテープが切断されて摘み部が形成される状態を示す。
【図６】上記テープディスペンサーの変形例を示す説明図であり、（ａ）は初期状態、（ｂ）はテープを引き出して第１の仮留部に仮留めする状態、（ｃ）は第２の仮留部に仮留めする状態を示す。
【図７】上記変形例において使用される切断刃の一例を示し、（ａ）は斜視図であり、（ｂ）は刃先の拡大図である。
【図８】上記変形例によって摘み部が形成される状態を示し、（ａ）はテープを引き出して第１の仮留部に仮留めする状態、（ｂ）は第２の仮留部に仮留めして切断する状態、（ｃ）はテープが切断される状態、（ｄ）は切断されたテープが折り返されて摘み部が形成される状態を示す。
【図９】上記変形例において仮留部間にテープが張り渡された状態を示し、（ａ）は平面図であり、（ｂ）はＸ−Ｘ線矢視断面図である。
【図１０】上記変形例においてテープが切断される際の状態を示し、（ａ）は平面図であり、（ｂ）はＸ−Ｘ線矢視断面図である。
【図１１】上記変形例において摘み部が形成される状態を示し、（ａ）は平面図であり、（ｂ）はＸ−Ｘ線矢視断面図である。
【図１２】上記変形例において切り取られたテープ片を貼り付ける状態を示す説明図である。
【図１３】本発明の第２実施形態に係るテープディスペンサーを示す正面図であり、（ａ）は初期状態、（ｂ）はテープを引き出した状態を示す。
【図１４】上記テープディスペンサーにおいて、（ａ）はテープを仮留めする状態を示す正面図であり、（ｂ）はテープが切断された状態を示す正面図である。
【発明を実施するための形態】
【００１３】  本発明の好適な実施形態について、添付図面に基づいて説明する。なお、実施形態は以下の形態に限定されるものではなく、本発明の課題を解決しうるものであれば他の態様も実施可能である。
【実施例１】
【００１４】  図１は、本発明の第１実施形態に係るテープディスペンサー１を示す正面図である。  このテープディスペンサー１は、接着テープ２を切断する際に、次の切断操作のための摘み部３を形成することができるものであり、先端部に切断刃４を備えた基台１０と、基台１０にスライド可能に取り付けられたスライド部材２０と、スライド部材２０に枢止されたリール部３０と、テープを折り返すための折り返し機構４０と、によって構成される。【００１５】  基台１０は、図２に示すように、重錘の内蔵された台座部１１と、台座部１１の上面部に設けられたレール１２と、上端に切断刃４を取り付けた前壁部１３と、その両側の側壁部１４、１４と、によって構成される。側壁部１４、１４には、折り返し機構５０を取り付けるための枢止部４５が設けられている。  台座部１１の上面のレール部１２には、スライド部材２０がスライド可能に設けられている。このスライド部材２０は、リール部３０を介してテープロール２’を保持するホルダ部材として機能する。【００１６】  スライド部材２０は、図３に示すように、基台１０の前壁部１３との間に介装されたバネ１５によって切断刃４から離反する方向に付勢されており、テープ２を引き出す際の引っ張り力によって、基台１０に対して前方（即ち、テープの引出方向Ａ）へと移動するようになっている。  このスライド部材２０の前壁部２１の上端部には、切断刃４の方向に向けて引き出された接着テープ２を仮留めするための第１の仮留部４１が設けられている。【００１７】  スライド部材２０の正面側及び背面側の側壁部２２、２２には軸受２３が設けられており、この軸受２３に、リール部３０が回転可能に取り付けられる。  リール部３０には、内側面に接着材が塗布されたテープロール２’が取り付けられており、テープ２の先端の摘み部３を持って引き出すことによって、テープ２が繰り出される。この際に、スライド部材２０が、バネ１５の付勢力に抗して切断刃４の方向に向けてスライドされるように設計されている。【００１８】  そして、スライド部材２０を移動させながら、テープ２を切断刃４の方向へと所望の長さだけ引き出し、切断刃４によって切断するわけであるが、スライド部材２０と基台１０との間に折り返し機構４０を設けることで、切断されたテープ２の端部が内側に向けて折り返され、次回の切断操作のための摘み部３が形成されるようになっている。  以下に、テープ２の端部を折り返すための折り返し機構４０の構成を説明する。【００１９】  折り返し機構４０は、切断刃４の方向に向けて引き出された接着テープ２を仮留めするための第１の仮留部４１を備えたスライド部２０と、第２の仮留部４２を備えた揺動部材４３と、それらを回動可能に連結させたリンクバー４４と、によって構成される。  即ち、スライド部材２０の前壁部２１の上端部に、引き出された接着テープ２を仮留めするための第１の仮留部４１が形成され、揺動部材４３の上端部に、そのテープ２を更に仮留めするための第２の仮留部４２が形成される。仮留部間の長さ（Ｌ）は、摘み部３のサイズに合わせて設計されている。【００２０】  揺動部材４３は、下端部に設けられた枢止部４５を介して、基台１０の側壁部１４に回動可能���取り付けられており、スライド部材２０が前後方向に移動することで、リンクバー４４が回動し、上端部に設けられた第２の仮留部４２が、第１の仮留部４１から離反するように構成されている。  この揺動部材４３のように、枢止部４５と回動端部（第２の取付部４２）との略中間部においてリンクバー４４を連結した場合、第１の仮留部４１と第２の仮留部４２との間の長さ（Ｌ）を、スライド部材２０の移動距離の略２倍にすることができる。このため、コンパクトなサイズでありながら、充分な長さの摘み部３を形成することが可能なテープディスペンサー１が実現される。【００２１】  基台１０のレール１２やバネ１５の長さは、スライド部材２０の移動距離などに応じて設計するものとする。  上記構造のテープディスペンサー１の使用状態を、図３及び図４を参照して説明する。  先ず、図３（ａ）の初期状態から、摘み部３を引っ張って、リール部３０からテープ２を繰り出す。すると、スライド部材２０が引き出し方向（Ａ）に移動されながら、テープ２が引き出される。【００２２】  スライド部材２０の変位によって、スライド部材２０と基台１０との間のバネ１５は圧縮され、付勢される。それと同時に、揺動部材４２が揺動し、上端の第２の仮留部４２が、第１の仮留部４１から離反する方向に移動する（図３（ｂ）を参照）。  揺動部材４３は、リンクバー４４を介してスライド部材２０の前壁部２１に連結されているので、第２の仮留部４２は、スライド部材２０の移動距離よりも長く、早い速度で、第１の仮留部４１から離反される。【００２３】  このようにして、テープ２を所望の長さに引き出した後、図３（ｃ）に示すように、リール部３０の側に位置する第１の仮留部４１と、切断刃４の側に位置する第２の仮留部４２との２箇所において仮留めする。そして、図４に示すように、基台１０の前端部の切断刃４によって切断すると、リング状の摘み部３が形成される。    即ち、テープ２が切断されることで圧縮状態のバネ１５が復帰し、スライド部材２０を初期位置に変位させるが、リンクバー４４を介してスライド部材２０に連結された揺動部材４３が回動し、回動端部の第２の仮留部４２を第１の仮留部４１へと近接させる。【００２４】  この際、第１の仮留部４１と第２の仮留部間４２との間に張り渡されていたテープ部位３’が撓み、そのテープ部位３’が内側面において相互に接触され、摘み部３が形成される。  本実施形態のテープディスペンサー１によれば、切断刃４を備えた基台１０にスライド部材２０を設け、そのスライド部材２０に接着テープ２を繰り出すためのリール部３０を設けると共に、スライド部材２０をバネ１５によって切断刃４から離反する方向に付勢させたので、リール部３０からテープ２を引き出す操作によってスライド部材２０を変位させて所望の長さにテープ２を繰り出し、その後、テープの長さを確認しながら夫々の仮留部４１、４２に仮留することができる。【００２５】  このため、必要な長さを確認しながらテープ２を引き出し、慎重に仮留めし、慎重に切断することができる。  テープ２が切断されることで、付勢されていたバネ１５が弾性変形し、スライド部材２０が初期位置へと復帰する。この際、離反状態の仮留部４１、４２が��接し、仮留部間に張り渡されていたテープ部位３’が撓み、接着面を相互に接触させる。  このようにしてリング状の摘み部３ができるので、通常のテープディスペンサーによる切断操作と同じ操作で、次回の切断操作のための摘み部３を作ることが可能となる。【００２６】  テープ２が切断された後は、スライド部材２０の復帰に伴い、切断刃４から離反する方向へと第２の仮留部４２が移動するので、切断刃４から切断後のテープ２を引き剥がすことができる。  特に、第１の仮留部４１をスライド部材２０の引出方向前端部に設けられた取付部（２１）の上端に設けると共に、上端に第２の仮留部４２を形成した揺動部材４３を基台１０に枢支させ、その揺動部材４３と取付部（２１）とをリンクバー４４によって回動可能に連結させたので、その連結位置を調節することで、所望の長さの摘み部３を形成することが可能となる。【００２７】  なお、本発明は、折り返し機構を簡略化させることもできる。例えば、図５に示すテープディスペンサー１’の折り返し機構４０’のように、切断刃４の方向に向けて引き出された接着テープ２を仮留めするための第１の仮留部４１’を基台１０’に突設すると共に、第２の仮留部４２’をスライド部材２０’に設けてもよい。  この場合、基台１０’の台座部１１’には、レール１２’が設けられると共に、上端に第１の仮留部４１’が設けられた第１の取付部１６と、スライド部材２０’との間に引っ張りバネ１５’を保持するための保持部１７とが設けられている。【００２８】  スライド部材２０’の前壁部２１’の上端に、第２の仮留部４２’が設けられる。を設け、側壁部２２’と基台１０’との隙間において、前壁部２１’と保持部材１７との間に介装された引っ張りバネ１５’を保持している。  図５（ａ）の初期状態から、摘み部３を摘みながらテープ２を引き出すことで、スライド部材２０’が引出方向Ａに向けてスライドされながら、テープ２が引き出される。【００２９】  この際、スライド部材２０’と基台１０’との間のバネ１５’が引っ張られ、スライド部材２０’の第２の仮留部４２’は、基台１０’に設けられた第１の仮留部４１’から離反する（図５（ｂ）を参照）。  そして、リール部３０の側に位置する第１の仮留部４１’と、切断刃４の側に位置する第２の仮留部４２’との２箇所において仮留めした状態で、基台１０’の前端部の切断刃４によって切断する。【００３０】  テープ２が切断されることで、図５（ｃ）に示すように、引っ張られた状態のバネ１５’が復帰し、スライド部材２０’を初期位置へと変位させる。この際、第１の仮留部４１’と第２の仮留部間４２’との間に緊張状態で張り渡されていたテープ部位３’が撓み、内側面が相互に接触する。  これによって、テープ２が折り返されて摘み部３が形成される。【００３１】  この態様のテープディスペンサー１’においても、切断刃４を備えた基台１０’にスライド部材２０’を設け、そのスライド部材２０’に接着テープ２を繰り出すためのリール部３０を設けると共に、スライド部材２０’をバネ１５’によって切断刃４から離反する方向に付勢させたので、リール部３０からテープ２を所望の長さに引き出した後、基台１０’とスライド部材２０’の夫々に設��られた仮留部４１’、４２’において、慎重にテープ２を仮留めした後、切断することができる。  切断によってテープ２の引っ張り力が解除されると、離反状態の仮留部４１’、４２’が近接し、そのテープ部位３’が撓んで摘み部３を作るが、この際、切断刃４からテープ２が引きはがされるので、刃先に接着材が粘着するのを防止できる。【００３２】  また、図６に示すテープディスペンサー１”のように、テープ２が切断される際に、第２の仮留部４２と切断刃４’との間に所定長の間隔（Ｍ）が設けられるようにしてもよい（図６（ｂ）を参照）。  この際、例えば、基台１０の前壁部１３の上縁に、平面部の一端エッジ部で切断する構造の切断刃４’を設けるのが好ましい。【００３３】  この切断刃４’は、テープ２を直線状に切断することができるように設計されたものであり、図７に示すように、エッジにより、刃先４ａを構成している。  即ち、平面状の切断刃４’の一端のエッジ部に、複数の陥没部４ｃを所定間隔ごとに設けることで刃先４ａを構成している。陥没部４ｂとエッジ部とが成す角部４ｃにおいてテープ２を切り込み、そこからエッジ部に沿ってテープ２を筋づけし、次の陥没部４ｂと到る。この繰り返しによって、テープ２が直線状に切断される。  この構造の切断刃４’を使用すれば、刃先４ａに至るまでの平面部において、所定長の間隔（Ｍ）を確保することができる（図８を参照）。【００３４】  使用の際には、図６（ａ）の初期状態から、摘み部３を引っ張ってテープ２を所望の長さに引き出した後、リール部３０の側に位置する第１の仮留部４１と、切断刃４の側に位置する第２の仮留部４２との２箇所において仮留めした後、切断刃４’の平面部を経て刃先４ａにおいて切断する。  仮留部間にテープ２が張り渡された際には、図９に示すように、刃先４ａと第２の仮留部４２との間に所定長（Ｍ）の間隔を設けることができ、その領域（３ａ）が、テープ端部２ａから第２の仮留部４２までの領域となる（図１０を参照）。【００３５】  このため、第２仮留部４２が第１仮留部４１に近接した際に、接着面同士が接触するのを免れる（図１１を参照）。接触を免れた領域は、テープとしての接着機能を有する部位である。  この態様のテープディスペンサー”によれば、接着テープ２の端部２ａに所定長の接着領域３ａを設けた状態の摘み部３を形成することができ、この接着領域３aを利用することによって、接着状態の摘み部３を引き剥がすことが可能となる。【００３６】  即ち、図１２に示すように、先ず、摘み部３を持った状態でテープ２を被接着物に貼り付けて固定し、その後、端部の接着領域３ａを引っ張ることによって、摘み部３の接着面を引き剥がすことができる。これによって、通常の接着テープ２と同様、その全面を被接着物に貼付することが可能となる。
【実施例２】
【００３７】  図１３は、本発明の第２実施形態に係るテープディスペンサー１０１を示す正面図である。  このテープディスペンサー１０１も、摘み部３を形成することを可能とするもので、先端部に切断刃４を備えた基台１１０と、基台１１０に回動可能に取り付けられた回動部材１２０と、回動部材１２０に枢止されたリール部３０と、テープ２を折り返すための折り返し機構４０と、によって構成される。【００３８】  以下、第１実施形態と同一構成のものには、同一の符号を付すことで、その説明を省略する。  基台１１０は、重錘の内蔵された台座部１１１と、回動部材１２０を取り付けるための枢止部１１２と、上端に切断刃４を取り付けた前壁部１１３と、その両側の側壁部１１４、１１４と、によって構成される。  台座部１１１の側壁部１１４、１１４には、前寄りの下方位置に枢止部１１２が設けられており、そこに回動部材１２０が取り付けられている。【００３９】  回動部材１２０は、テープロール２’を保持するためのホルダ部材として機能する部位であり、その両側の側壁部１２２、１２２に設けられた軸受１２３において、リール部３０を回転可能に取り付けている。  リール部３０には、テープロール２’が取り付けられており、テープ２を引き出した際の引っ張り力によって、回動部材１２０をテープ引き出し方向前方（Ａ）に向けて変位させることができる（図１３（ｂ）を参照）。  そして、テープ２を切断し、回動部材１２０を引っ張る力を解除すると、その自重によって初期位置へと復帰する。【００４０】  この回動部材１２０の前壁部１２１の上端部は、折り返し機構４０における第１の仮留部４１となっている。  回動部材１２０の軸受１２３には、リール部３０が回転可能に取り付けられており、そのリール部３０に取り付けられたテープロール２’からテープ２が繰り出される際、テープ２を引っ張る力によって、リール部３０の回転方向に、回動部材１２０が持ち上げられる。【００４１】  テープ２を切断刃４の方向へと所望の長さだけ引き出し、切断刃４によって切断することで、回動部材１２０が初期位置に復帰すると同時に、折り返し機構４０によって摘み部３が形成される。  この折り返し機構４０は、第１実施形態のものと同様、２つの仮留部（４１，４２）を含んで構成される。【００４２】  即ち、切断刃４の方向に向けて引き出された接着テープ２を仮留めするための第１の仮留部４１が回動部材１２０に設けられ、上端に第２の仮留部４２を備えた揺動部材４３が、基台１１０に揺動可能に取り付けられる。  揺動部材４３は、回動部材１２０に対して、リンクバー４４を介して連結されており、回動部材１２０の変位に応じて、第１及び第２の仮留部４１、４２が離接する。【００４３】  上記構造のテープディスペンサー１０１の使用状態を、図１３及び図１４を参照して説明する。  先ず、図１３（ａ）の初期状態から、摘み部３を引っ張って、リール部３０からテープ２を繰り出す。すると、図１３（ｂ）に示すように、回動部材１２０が、テープ２の引き出し方向（Ａ）に持ち上げられる。同時に、揺動部材４２が揺動し、上端の第２の仮留部４２が、第１の仮留部４１から離反する。【００４４】  揺動部材４３は、リンクバー４４を介して回��部材１２０に連結されているので、回動部材２０の変位量にも関わらず、摘み部３を形成し得るだけの距離が、仮留部４１、４２の間に確保される。  所望の長さにテープ２を引き出した後、図１４（ａ）に示すように、リール部３０の側に位置する第１の仮留部４１と、切断刃４の側に位置する第２の仮留部４２との２箇所において仮留めする。そして、基台１１０の前端部の切断刃４によって切断することで、反対方向（Ｂ）へと回動部材１２０が回動し（図１４（ｂ）を参照）、それに伴い、摘み部３が形成される。  【００４５】  即ち、テープ２が切断されることで、自重によって回動部材１２０が初期位置へと戻るが、このとき、リンクバー４４を介して回動部材１２０に連結された揺動部材４３が回動し、第２の仮留部４２を第１の仮留部４１へと近接させる。  その際、第１の仮留部４１と第２の仮留部間４２との間に張り渡されていたテープ部位３’が撓み、内側面において相互に接触され、摘み部３となる（図１３（ａ）を参照）。  本実施形態のテープディスペンサー１０１においても、基台１１０に対し、変位可能に回動部材１２０を取り付けたので、回動部材１２０に保持されたテープロール２’から所望の長さだけ引き出し、２つの仮留部４１、４２でテープ２を固定し、慎重に切断することが可能となる。【００４６】  テープ２を引き出し、仮留めし、切断する、という一連の操作を円滑に行うことが可能なので、通常のテープディスペンサーによる切断操作と同じ操作で、摘み部３を作ることができる。また、テープ２が刃先に付着され続けることがないので、切断刃４の性能の低下を防止できる。
【産業上の利用可能性】
【００４７】  本発明は、あらゆる産業分野で使用されるテープディスペンサーに適用することができる。
【符号の説明】
【００４８】１、１’、１０１…テープディスペンサー２…テープ３…摘み部４、４’…切断刃１０、１０’、１１０…基台１１、１１’、１１１…台座部１２、１２’…レール１３、１３’、１１３…前壁部１４、１１４…側壁部１５、１５’…バネ１６…第１の取付部１７…保持部２０、２０’…スライド部材（ホルダ部材）１２０・・・回動部材（ホルダ部材）２１、２１’、１２１…前壁部２２、２２’、１２２…側壁部２３、２３’、１２３…軸受３０…リール部（リール部材）４０…折り返し機構４１、４１’…第１の仮留部４２、４２’…第２の仮留部４３…揺動部材４４…リンクバー４５…枢止部  
【図１】
2015025964.tif 000003
【図２】
2015025964.tif 000004
【図３】
2015025964.tif 000005
【図４】
2015025964.tif 000006
【図５】
2015025964.tif 000007
【図６】
2015025964.tif 000008
【図７】
2015025964.tif 000009
【図８】
2015025964.tif 000010
【図９】
2015025964.tif 000011
【図１０】
2015025964.tif 000012
【図１１】
2015025964.tif 000013
【図１２】
2015025964.tif 000014
【図１３】
2015025964.tif 000015
【図１４】
2015025964.tif 000016
【国際調査報告】
2015025964.tif 000017
2015025964.tif 000018
2015025964.tif 000019
2015025964.tif 000020